(57)【特許請求の範囲】
【請求項１】
溶接電源装置と、
ワイヤ送給装置と、
溶接トーチと、
前記溶接電源装置から前記溶接トーチに、溶接用の電力を供給するためのパワーケーブルと、
前記溶接電源装置から前記ワイヤ送給装置に電力を供給するための電力伝送線と、
前記電力伝送線上に設けられている中継装置と、
前記中継装置との間で無線通信を行う遠隔操作装置と、
を備えており、
前記ワイヤ送給装置は、前記電力伝送線を介して前記溶接電源装置から電力を供給される電源部を備え、
前記電源部は、前記ワイヤ送給装置が有する送給モータに電力を供給し、
前記溶接電源装置と中継装置とが、前記電力伝送線を介して通信を行う、
ことを特徴とする溶接システム。
【請求項２】
前記中継装置は、前記ワイヤ送給装置に含まれている、
請求項１に記載の溶接システム。
【請求項３】
前記溶接電源装置は、
前記遠隔操作装置との間で無線通信を行っており、
無線通信によって前記遠隔操作装置から直接受信した信号と、前記中継装置および電力伝送線を介して受信した信号とを比較する比較手段と、
前記比較手段によって２つの信号が同じであると判断された場合にのみ、当該信号に基づいて処理を行う処理手段と、
を備えている、
請求項１または２に記載の溶接システム。
【請求項４】
前記溶接電源装置は、前記比較手段によって２つの信号が異なると判断された場合に、前記遠隔操作装置に信号の再送信を要求する再送信要求手段をさらに備えている、
請求項３に記載の溶接システム。
【請求項５】
前記溶接電源装置は、前記比較手段が比較を行った回数をカウントするカウント手段をさらに備え、
前記処理手段は、前記カウント手段によってカウントされた数が所定数を超えた場合に、前記中継装置および電力伝送線を介して受信した信号に基づいて処理を行う、
請求項４に記載の溶接システム。
【請求項６】
前記処理手段は、前記比較手段によって２つの信号が異なると判断された場合に、前記中継装置および電力伝送線を介して受信した信号に基づいて処理を行う、
請求項３に記載の溶接システム。
【請求項７】
前記溶接電源装置は、
溶接条件を設定するための溶接条件設定信号を受信する第１通信手段と、
前記第１通信手段によって受信された溶接条件設定信号に基づいて、第１記憶手段に記憶されている溶接条件パラメータを変更する第１記憶制御手段と、
前記第１記憶手段に記憶されている溶接条件パラメータに基づいて、前記溶接電源装置の出力を制御する出力制御手段とを備え、
前記第１通信手段は、前記第１記憶手段に記憶されている溶接条件パラメータを溶接条件パラメータ信号として送信し、
前記遠隔操作装置は、
溶接作業者による操作に基づいて、第２記憶手段に記憶されている溶接条件を変更する第２記憶制御手段と、
前記第２記憶手段に記憶されている溶接条件に基づいて表示を行う表示手段と、
前記第２記憶手段に記憶されている溶接条件を溶接条件信号として送信し、前記第１通信手段が送信した溶接条件パラメータ信号を受信する第２通信手段と、
前記第２通信手段によって受信された溶接条件パラメータ信号に基づく溶接条件パラメータを記憶する第３記憶手段と、
前記第２記憶手段に記憶されている溶接条件と前記第３記憶手段に記憶されている溶接条件パラメータとを比較して、一致しているか否かを判定する判定手段と、
前記判定手段による判定結果に基づいて報知を行う報知手段と、
を備えている、
請求項１ないし６のいずれかに記載の溶接システム。
【請求項８】
前記遠隔操作装置は、携帯型端末である、
請求項１ないし７のいずれかに記載の溶接システム。
【請求項９】
前記溶接電源装置および前記ワイヤ送給装置を介して、前記溶接トーチにシールドガスを供給するガス配管をさらに備え、
前記電力伝送線は、前記ガス配管の内側に配置されている、
請求項１ないし８のいずれかに記載の溶接システム。
【発明の詳細な説明】
【技術分野】
【０００１】
本発明は、遠隔操作装置で溶接電源装置の操作を行う溶接システム、溶接システムの通信方法、および、中継装置に関する。
【背景技術】
【０００２】
消耗電極式の溶接システムは、通常、重量があるために移動させない溶接電源装置と、溶接個所の変更に伴って溶接作業者が持ち運びするワイヤ送給装置とに分離されている。溶接電源装置が溶接作業を行っている位置から離れた場所に設置されている場合、溶接電圧などの溶接条件を設定するために、作業者が溶接電源装置の設置場所まで行くのは作業効率が悪い。これを解消するために、溶接電源装置との間で無線通信を行う遠隔操作装置を用いて、溶接条件の変更を行うものが開発されている（特許文献１参照）。
【先行技術文献】
【特許文献】
【０００３】
【特許文献１】特許第３４１４１９３号公報
【発明の概要】
【発明が解決しようとする課題】
【０００４】
造船、橋梁等の大型構造物の溶接現場においては、溶接電源装置と溶接個所とが数十ｍ離れていることが多い。このような溶接現場において、溶接作業者が溶接個所付近で無線式の遠隔操作装置を使用して溶接電源装置に溶接条件を設定する場合、遠隔操作装置と溶接電源装置とが隔壁等によって隔てられていることがあるために、無線通信に障害が生じることがある。
【０００５】
また、このような溶接現場においては複数の溶接システムが用いられているので、他の溶接システムが送受信する信号が混信したり、ノイズが混入するなどして、無線通信に障害が生じることもある。
【０００６】
図１１は、従来の溶接システムＡ１００の遠隔操作装置３００と溶接電源装置１００との間で、無線通信を行っている状態を示している。溶接電源装置１００が非加工物Ｗから離れた位置に配置されており、溶接作業者はワイヤ送給装置２００を被加工物Ｗの近くに持ち運んで溶接作業を行っている。溶接作業者は溶接電源装置１００を遠隔操作するために、遠隔操作装置３００を所持している。同図は、隔壁Ｂによって溶接電源装置１００から隔てられた位置にある被加工物Ｗの溶接作業を行っているときに、溶接作業者が、遠隔操作装置３００を操作して溶接条件を設定している状態を示している。溶接条件を設定するための信号が遠隔操作装置３００の通信部３６０から送信されている。しかし、隔壁Ｂのために、送信された信号が溶接電源装置１００の通信部１４０に正しく受信されない場合がある。また、遠隔操作装置３００と溶接電源装置１００とが離れているので、間にある他の溶接システムの送信信号を受信したり、間にある他の機器から発生するノイズが混入したりする場合がある。
【０００７】
無線通信に障害が発生すると、溶接条件を通信することができなくなったり、通信できたとしても溶接条件の値を正確に通信できなくなったりする。このような通信障害が発生すると、遠隔操作装置３００で設定された溶接条件が溶接電源装置１００に正確に通信されないために、溶接が不安定になり溶接品質が悪くなる。
【０００８】
本発明は上記した事情のもとで考え出されたものであって、無線通信を利用する遠隔操作装置が溶接電源装置との間でできるだけ正確に通信を行うことができる溶接システムを提供することをその目的としている。
【課題を解決するための手段】
【０００９】
上記課題を解決するため、本発明では、次の技術的手段を講じている。
【００１０】
本発明の第１の側面によって提供される溶接システムは、溶接電源装置と、ワイヤ送給装置と、溶接トーチと、前記溶接電源装置から前記溶接トーチに、溶接用の電力を供給するためのパワーケーブルと、前記ワイヤ送給装置が有する送給モータを駆動するための電力を、前記溶接電源装置から前記ワイヤ送給装置に供給するための電力伝送線と、前記電力伝送線上に設けられている中継装置と、前記中継装置との間で無線通信を行う遠隔操作装置とを備えており、前記溶接電源装置と中継装置とが、前記電力伝送線を介して通信を行うことを特徴とする。
【００１１】
本発明の好ましい実施の形態においては、前記中継装置は、前記ワイヤ送給装置に含まれている。
【００１２】
本発明の好ましい実施の形態においては、前記溶接電源装置は、前記遠隔操作装置との間で無線通信を行っており、無線通信によって前記遠隔操作装置から直接受信した信号と、前記中継装置および電力伝送線を介して受信した信号とを比較する比較手段と、前記比較手段によって２つの信号が同じであると判断された場合にのみ、当該信号に基づいて処理を行う処理手段とを備えている。
【００１３】
本発明の好ましい実施の形態においては、前記溶接電源装置は、前記比較手段によって２つの信号が異なると判断された場合に、前記遠隔操作装置に信号の再送信を要求する再送信要求手段をさらに備えている。
【００１４】
本発明の好ましい実施の形態においては、前記溶接電源装置は、前記比較手段が比較を行った回数をカウントするカウント手段をさらに備え、前記処理手段は、前記カウント手段によってカウントされた数が所定数を超えた場合に、前記中継装置および電力伝送線を介して受信した信号に基づいて処理を行う。
【００１５】
本発明の好ましい実施の形態においては、前記処理手段は、前記比較手段によって２つの信号が異なると判断された場合に、前記中継装置および電力伝送線を介して受信した信号に基づいて処理を行う。
【００１６】
本発明の好ましい実施の形態においては、前記溶接電源装置は、溶接条件を設定するための溶接条件設定信号を受信する第１通信手段と、前記第１通信手段によって受信された溶接条件設定信号に基づいて、第１記憶手段に記憶されている溶接条件パラメータを変更する第１記憶制御手段と、前記第１記憶手段に記憶されている溶接条件パラメータに基づいて、前記溶接電源装置の出力を制御する出力制御手段とを備え、前記第１通信手段は、前記第１記憶手段に記憶されている溶接条件パラメータを溶接条件パラメータ信号として送信し、前記遠隔操作装置は、溶接作業者による操作に基づいて、第２記憶手段に記憶されている溶接条件を変更する第２記憶制御手段と、前記第２記憶手段に記憶されている溶接条件に基づいて表示を行う表示手段と、前記第２記憶手段に記憶されている溶接条件を溶接条件信号として送信し、前記第１通信手段が送信した溶接条件パラメータ信号を受信する第２通信手段と、前記第２通信手段によって受信された溶接条件パラメータ信号に基づく溶接条件パラメータを記憶する第３記憶手段と、前記第２記憶手段に記憶されている溶接条件と前記第３記憶手段に記憶されている溶接条件パラメータとを比較して、一致しているか否かを判定する判定手段と、前記判定手段による判定結果に基づいて報知を行う報知手段とを備えている。
【００１７】
本発明の好ましい実施の形態においては、前記遠隔操作装置は、携帯型端末である。
【００１８】
本発明の好ましい実施の形態においては、前記溶接システムは、前記溶接電源装置および前記ワイヤ送給装置を介して、前記溶接トーチにシールドガスを供給するガス配管をさらに備え、前記電力伝送線は、前記ガス配管の内側に配置されている。
【００１９】
本発明の第２の側面によって提供される中継装置は、ワイヤ送給装置が有する送給モータを駆動するための電力を、溶接電源装置から前記ワイヤ送給装置に供給するための電力伝送線上に設けられ、前記溶接電源装置を遠隔操作するための遠隔操作装置との間で無線通信を行い、前記溶接電源装置との間で前記電力伝送線を介した通信を行うことを特徴とする。
【００２０】
本発明の第３の側面によって提供される通信方法は、溶接電源装置と、ワイヤ送給装置と、溶接トーチと、前記溶接電源装置から前記溶接トーチに、溶接用の電力を供給するためのパワーケーブルと、前記ワイヤ送給装置が有する送給モータを駆動するための電力を、前記溶接電源装置から前記ワイヤ送給装置に供給するための電力伝送線と、前記電力伝送線上に設けられている中継装置と、前記中継装置との間で無線通信を行う遠隔操作装置とを備えている溶接システムの通信方法であって、前記遠隔操作装置が、無線によって通信信号を送信する第１の工程と、前記中継装置が、前記遠隔操作装置が送信した通信信号を受信する第２の工程と、前記中継装置が、受信した通信信号を、前記電力伝送線を介して前記溶接電源装置に送信する第３の工程と、前記溶接電源装置が、前記電力伝送線を介して送信された通信信号を受信する第４の工程とを備えていることを特徴とする。
【発明の効果】
【００２１】
本発明によると、遠隔操作装置とワイヤ送給装置とが無線通信を行い、ワイヤ送給装置と溶接電源装置とが電力伝送線を介した有線通信を行う。遠隔操作装置はワイヤ送給装置の近くに位置するので、間に隔壁やほかの溶接システムなどが存在する可能性が少なく、無線通信に障害が発生しにくい。また、ワイヤ送給装置と溶接電源装置とは離れていても有線通信なので、通信に障害が発生しにくい。したがって、遠隔操作装置が溶接電源装置と直接無線通信を行う場合と比べて、通信に障害が発生しにくく、正確に通信を行うことができる。
【００２２】
本発明のその他の特徴および利点は、添付図面を参照して以下に行う詳細な説明によって、より明らかとなろう。
【図面の簡単な説明】
【００２３】
【図１】第１実施形態に係る溶接システムの全体構成を説明するための図である。
【図２】溶接用電源部および送給装置用電源部の内部構成の一例である。
【図３】遠隔操作装置の外観図の一例である。
【図４】遠隔操作装置の制御部が行う判定処理を説明するためのフローチャートである。
【図５】第２実施形態に係る溶接システムの全体構成を説明するための図である。
【図６】溶接電源装置の制御部が行う比較処理を説明するためのフローチャートである。
【図７】比較処理の他の実施例を説明するためのフローチャートである。
【図８】第３実施形態に係る溶接システムの全体構成を説明するための図である。
【図９】第４実施形態に係る溶接システムを説明するための図である。
【図１０】第４実施形態に係る溶接システムの他の実施例を説明するための図である。
【図１１】従来の溶接システムの遠隔操作装置と溶接電源装置との間で、無線通信を行っている状態を示す図である。
【発明を実施するための形態】
【００２４】
以下、本発明の実施の形態を、図面を参照して具体的に説明する。
【００２５】
図１は、第１実施形態に係る溶接システムＡ１の全体構成を説明するための図であり、図２は、溶接用電源部１０および送給装置用電源部１１の内部構成の一例を示すものである。
【００２６】
図１に示すように、溶接システムＡ１は、溶接電源装置１、ワイヤ送給装置２、遠隔操作装置３、パワーケーブル４１,４２、電力伝送線５１，５２、および、溶接トーチ６を備えている。溶接電源装置１の溶接電力用の一方の出力端子ａは、パワーケーブル４１を介して、ワイヤ送給装置２に接続されている。ワイヤ送給装置２は、ワイヤ電極を溶接トーチ６に送り出して、ワイヤ電極の先端を溶接トーチ６の先端から突出させる。溶接トーチ６の先端に配置されているコンタクトチップにおいて、パワーケーブル４１とワイヤ電極とは電気的に接続されている。溶接電源装置１の溶接電力用の他方の出力端子ｂは、パワーケーブル４２を介して、被加工物Ｗに接続される。溶接電源装置１は、溶接トーチ６の先端から突出するワイヤ電極の先端と、被加工物Ｗとの間にアークを発生させ、アークに電力を供給する。溶接システムＡ１は、当該アークの熱で被加工物Ｗの溶接を行う。
【００２７】
ワイヤ電極を送り出すための送給モータ２４（後述）などを駆動するための電力は、電力伝送線５１，５２を介して、溶接電源装置１からワイヤ送給装置２に供給される。電力伝送線５１，５２は、平行２線で被覆が厚い丈夫なケーブル（例えば、２心のキャブタイヤケーブルなど）が用いられている。なお、耐ノイズ性を高めるために、シールドケーブルとしてもよい。また、電力伝送線５１，５２は、同軸ケーブル等であってもよい。溶接システムＡ１は、実際には、ワイヤ電極が巻回されたワイヤリールや、溶接トーチ６から放出するためのシールドガスのガスボンベなどを備えているが、図への記載や説明を省略している。
【００２８】
溶接電源装置１は、アーク溶接のための直流電力を溶接トーチ６に供給するものである。溶接電源装置１は、溶接用電源部１０、送給装置用電源部１１、記憶部１２、制御部１３、および、通信部１４を備えている。
【００２９】
溶接用電源部１０は、電力系統から入力される三相交流電力をアーク溶接に適した直流電力に変換して出力するものである。図２（ａ）に示すように、溶接用電源部１０に入力される三相交流電力は、整流回路１０１によって直流電力に変換され、インバータ回路１０２によって交流電力に変換される。そして、トランス１０３によって降圧（または昇圧）され、整流回路１０４によって直流電力に変換されて出力される。なお、溶接用電源部１０の構成は、上記したものに限定されない。
【００３０】
送給装置用電源部１１は、ワイヤ送給装置２の送給モータ２４などを駆動するための電力を出力するものである。送給装置用電源部１１は、電力系統から入力される単相交流電力をワイヤ送給装置２での使用に適した直流電力に変換して出力する。送給装置用電源部１１はいわゆるスイッチングレギュレータであって、図２（ａ）に示すように、送給装置用電源部１１に入力される交流電力は、整流回路１１１によって直流電力に変換され、ＤＣ／ＤＣコンバータ回路１１２によって降圧（または昇圧）されて出力される。送給装置用電源部１１は、電圧が例えば４８Ｖに制御された直流電力を、電力伝送線５１，５２を介して、ワイヤ送給装置２に供給する。なお、送給装置用電源部１１の構成は、上記したものに限定されない。例えば、溶接用電源部１０と同様の構成であってもよいし、電力系統から入力される交流電力をトランスで降圧（または昇圧）してから、整流回路１１１で直流電力に変換して出力するようにしてもよい。
【００３１】
記憶部１２は、溶接電源装置１から出力される溶接電圧を設定するための設定電圧や、溶接電源装置１から出力される溶接電流を設定するための設定電流などの溶接条件パラメータＷｐを記憶するものである。
【００３２】
制御部１３は、溶接電源装置１の制御を行うものであり、例えばマイクロコンピュータなどによって実現されている。制御部１３は、溶接電源装置１から出力される溶接電圧や溶接電流が記憶部１２に記憶されている設定電圧や設定電流になるように、溶接用電源部１０のインバータ回路１０２を制御する。また、送給装置用電源部１１から出力される電圧が所定電圧になるように、送給装置用電源部１１のＤＣ／ＤＣコンバータ回路１１２を制御する。また、図示しない設定ボタンの操作に応じて記憶部１２に記憶されている溶接条件パラメータＷｐの変更を行ったり、図示しない起動ボタンの操作に応じて溶接用電源部１０を起動させたりなどの制御を行う。また、制御部１３は、図示しないセンサによって検出された溶接電圧や溶接電流の検出値を図示しない表示部に表示させたり、異常が発生した場合に図示しない報知部に報知させたりする。
【００３３】
また、制御部１３は、通信部１４から入力される信号に基づいても、溶接条件パラメータＷｐの変更や溶接用電源部１０の起動を行い、検出された溶接電圧または溶接電流の検出値や、異常発生を示す信号、ワイヤ送給装置２に対するワイヤ送給指令などのための信号を通信部１４に出力する。また、制御部１３は、あらかじめ設定された送信周期ごとに、記憶部１２に記憶されている溶接条件パラメータＷｐを読み出して、通信部１４に出力する。なお、本実施形態では、送信周期は、１０〜５００ｍｓ程度の範囲で設定されている。
【００３４】
通信部１４は、電力伝送線５１，５２を介して、ワイヤ送給装置２との間で通信を行うためのものである。通信部１４は、ワイヤ送給装置２から受信した信号を復調して、制御部１３に出力する。ワイヤ送給装置２から受信する信号には、例えば、記憶部１２に記憶された溶接条件パラメータＷｐを変更するための溶接条件設定信号や、溶接用電源部１０の起動を指示する起動信号などがある。また、通信部１４は、制御部１３から入力される信号を変調して、通信信号としてワイヤ送給装置２に送信する。ワイヤ送給装置２に送信する通信信号には、例えば、検出された溶接電圧または溶接電流の検出値や、異常発生を示す信号、記憶部１２に記憶されている溶接条件パラメータＷｐを送信するための溶接条件パラメータ信号、ワイヤ送給指令などのための信号などがある。なお、ワイヤ送給装置２との間で送受信される通信信号は、上記したものに限定されない。
【００３５】
通信部１４は、直接スペクトル拡散（Direct Sequence Spread Spectrum:DSSS）通信方式を用いて通信を行う。直接スペクトル拡散通信方式では、送信側は、送信する信号に対して拡散符号による演算を行い、元の信号のスペクトルをより広い帯域に拡散して送信する。受信側は、受信した信号を共通する拡散符号を用いて逆拡散することで、元の信号に戻す。通信信号にノイズが重畳された場合でも、逆拡散によってノイズのスペクトルが拡散されるので、フィルタリングによって元の通信信号を抽出することができる。また、溶接システムＡ１毎に異なる拡散符号を用いていれば、別の溶接システムＡ１で送受信される通信信号を誤って受信したとしても、当該通信信号は異なる拡散符号で逆拡散されて、ノイズとして除去される。したがって、高い通信品質で通信を行うことができる。
【００３６】
通信部１４は、結合回路を備えている。当該結合回路は、通信部１４の入出力端に接続されたコイルと、電力伝送線５１，５２に並列接続されたコイルとを磁気結合させた高周波トランスを備えており、通信部１４が出力する通信信号を電力伝送線５１，５２に重畳し、また、電力伝送線５１，５２に重畳された通信信号を検出する。通信部１４は、制御部１３より入力される信号に応じてキャリア信号をＢＰＳＫ（Binary Phase Shift Keying）変調し、変調信号にスペクトル拡散を行い、アナログ信号に変換して送信する。なお、変調方法はＢＰＳＫ変調に限られず、ＡＳＫ変調やＦＳＫ変調を行うようにしてもよい。また、スペクトル拡散は直接拡散方式に限られず、周波数ホッピング方式を用いてもよい。なお、本実施形態では、スペクトル拡散を行っているが、これに限定されず、スペクトル拡散を行わないようにしてもよい。また、通信部１４は、電力伝送線５１，５２に重畳された通信信号を検出し、デジタル信号に変換して、逆拡散およびフィルタリングを行い、復調を行って、制御部１３に出力する。溶接電源装置１からワイヤ送給装置２に送信する通信信号と、ワイヤ送給装置２から溶接電源装置１に送信する通信信号とでは、時間をずらして送受信を行う。なお、異なる周波数帯域を利用するようにしてもよい。
【００３７】
ワイヤ送給装置２は、ワイヤ電極を溶接トーチ６に送り出すものである。また、ワイヤ送給装置２は、溶接電源装置１と遠隔操作装置３との通信を中継する機能も有している。ワイヤ送給装置２は、電源部２１、制御部２２、中継部２３、および、送給モータ２４を備えている。なお、ワイヤ送給装置２は、ガスボンベからのシールドガスを溶接トーチ６に供給するためのガス電磁弁などを備えているが、図への記載や説明を省略している。
【００３８】
電源部２１は、制御部２２および送給モータ２４に電力を供給するものである。電源部２１は、電力伝送線５１，５２を介して溶接電源装置１から電力を供給され、制御部２２および送給モータ２４のそれぞれに適した電圧に変換を行って出力する。電源部２１は、溶接電源装置１から供給される電力を蓄積するコンデンサ、コンデンサから電力伝送線５１，５２に電流が逆流するのを防ぐためのダイオード、制御部２２および送給モータ２４に出力する電圧を調整するためのＤＣ／ＤＣコンバータを備えている。なお、電源部２１の構成は、上記したものに限定されない。
【００３９】
制御部２２は、ワイヤ送給装置２の制御を行うものであり、例えばマイクロコンピュータなどによって実現されている。制御部２２は、溶接トーチ６に設けられている図示しないトーチスイッチより入力される起動のための操作信号に応じて、溶接電源装置１の溶接用電源部１０を起動するための起動信号を中継部２３に出力する。また、制御部２２は、中継部２３からワイヤ送給指令を入力されている間、送給モータ２４を回転させ、図示しない送給ローラを回転させて、ワイヤ電極の送給を行わせる。
【００４０】
中継部２３は、電力伝送線５１，５２を介して、溶接電源装置１との間で有線通信を行うためのものである。また、中継部２３は、遠隔操作装置３との間で無線通信を行う。中継部２３は、溶接電源装置１と遠隔操作装置３との通信を中継する機能も有している。
【００４１】
中継部２３は、溶接電源装置１から受信した通信信号を復調する。復調した信号がワイヤ送給指令などのための信号の場合、制御部２２に出力する。一方、復調した信号が溶接電圧または溶接電流の検出値や、異常発生を示す信号、溶接条件パラメータ信号などの場合、再度変調して、アンテナ２３ａによって電磁波として遠隔操作装置３に送信する。
【００４２】
また、中継部２３は、遠隔操作装置３が出力する電磁波をアンテナ２３ａで受信し、受信した信号を増幅して、溶接電源装置１に送信する。なお、受信した信号を増幅することなく、そのまま送信するようにしてもよいし、受信した信号を一旦復調して、所定の処理を行った上で再度変調して送信するようにしてもよい。また、中継部２３は、制御部２２より入力される起動信号などを変調して、溶接電源装置１に送信する。なお、中継部２３と、溶接電源装置１および遠隔操作装置３との間で送受信される通信信号は、上記したものに限定されない。中継部２３も、通信部１４と同様に、直接スペクトル拡散通信方式を用いて通信を行う。
【００４３】
中継部２３は、結合回路を備えている。当該結合回路は、電力伝送線５１，５２に並列接続されたコイルと中継部２３の入出力端に接続されたコイルとを磁気結合させた高周波トランスを備えており、中継部２３が出力する通信信号を電力伝送線５１，５２に重畳し、また、電力伝送線５１，５２に重畳された通信信号を検出する。
【００４４】
送給モータ２４は、溶接トーチ６にワイヤ電極の送給を行うものである。送給モータ２４は、制御部２２からのワイヤ送給指令に基づいて回転し、送給ローラを回転させて、ワイヤ電極を溶接トーチ６に送り出す。
【００４５】
遠隔操作装置３は、離れた位置から溶接電源装置１を操作するためのものである。遠隔操作装置３は、溶接電源装置１の溶接条件パラメータＷｐの変更を行う。また、溶接電源装置１で検出された溶接電圧または溶接電流の検出値を表示したり、溶接電源装置１で発生した異常を報知したりする。遠隔操作装置３は、操作部３１、記憶部３２、表示部３３、報知部３４、制御部３５、および、通信部３６を備えている。
【００４６】
操作部３１は、溶接作業者による操作ボタンの操作を操作信号として制御部３５に出力するものである。
【００４７】
図３は、遠隔操作装置３の外観図の一例である。同図に示すように、遠隔操作装置３の操作部３１には、操作ボタンとして、溶接電流設定用ボタン３１ａ、溶接電圧設定用ボタン３１ｂ、および、切替ボタン３１ｃが配置されている。溶接電流設定用ボタン３１ａは、溶接電源装置１から出力される溶接電流の設定電流を変更するためのものである。溶接電圧設定用ボタン３１ｂは、溶接電源装置１から出力される溶接電圧の設定電圧を変更するためのものである。溶接電流設定用ボタン３１ａまたは溶接電圧設定用ボタン３１ｂが操作されると、操作部３１は、溶接条件を変更するための操作信号を、制御部３５に出力する。切替ボタン３１ｃは、表示部３３の表示モードを切り替えるためのものである。切替ボタン３１ｃが押圧されるたびに、操作部３１は、表示モードを切り替えるための操作信号を、制御部３５に出力する。なお、操作部３１には、他の操作ボタンも配置されているが、同図では省略している。各操作ボタンの操作の詳細については後述する。
【００４８】
図１に戻って、記憶部３２は、操作部３１の操作ボタンの操作によって設定される溶接条件Ｗｒを記憶するものである。また、記憶部３２は、溶接電源装置１から溶接条件パラメータ信号として受信した溶接条件パラメータＷｐも記憶している。記憶部３２は、溶接条件Ｗｒと溶接条件パラメータＷｐとを、それぞれ定められた記憶領域に記憶している。
【００４９】
表示部３３は、各種表示を行うものであり、例えば液晶表示装置によって実現されている（図３参照）。表示部３３は、制御部３５によって制御されており、記憶部３２に記憶されている溶接条件Ｗｒを表示し、後述する判定処理の結果も表示する。また、溶接電源装置１で検出された溶接電圧や溶接電流の検出値の表示も行う。なお、表示部３３は、７セグメントディスプレイ等の簡易な表示装置であってもよい。
【００５０】
報知部３４は、所定の報知を行うものであり、例えばスピーカによって実現されている（図３参照）。報知部３４は、制御部３５によって制御されており、溶接電源装置１の異常を警告音で報知する。また、後述する判定処理の結果も報知する。なお、報知部３４は、音で報知を行うものに限定されない。例えば、振動で報知を行うようにしてもよいし、表示部３３に文字や画像で報知するようにしてもよい。
【００５１】
制御部３５は、遠隔操作装置３の制御を行うものであり、例えばマイクロコンピュータなどによって実現されている。制御部３５は、操作部３１より入力される表示モードを切り替えるための操作信号に応じて、表示部３３の表示内容を、記憶部３２に記憶されている溶接条件Ｗｒを表示するモードと、溶接電源装置１で検出された溶接電圧や溶接電流の検出値を表示するモードとで切り替える。また、操作部３１より入力される溶接条件Ｗｒを変更するための操作信号に応じて、記憶部３２に記憶されている溶接条件Ｗｒを変更する。
【００５２】
また、制御部３５は、あらかじめ設定された送信周期ごとに、記憶部３２に記憶されている溶接条件Ｗｒを読み出して、通信部３６および表示部３３に出力する。なお、本実施形態では、送信周期は、１０〜５００ｍｓ程度の範囲で設定されている。制御部３５に設定される送信周期は、溶接電源装置１の制御部１３に設定される送信周期と同じであってもよいし、異なっていてもよい。また、送信周期に係わらず、記憶部３２に記憶されている溶接条件Ｗｒが変更された時に、変更後の溶接条件Ｗｒを出力するようにしてもよい。また、溶接電源装置1の溶接用電源部１０が起動したときに、溶接条件Ｗｒを出力するようにしてもよい。
【００５３】
また、制御部３５は、通信部３６より入力される溶接電圧または溶接電流の検出値を、表示部３３に出力したり、通信部３６より入力される異常発生を示す信号に基づいて、報知部３４に異常の報知をさせたりする。
【００５４】
また、制御部３５は、遠隔操作装置３で設定された溶接条件Ｗｒが溶接電源装置１に正しく通信されているかを判定する判定処理を行う。
【００５５】
図４は、制御部３５が行う判定処理を説明するためのフローチャートである。当該判定処理は、所定のタイミング毎に実行される。
【００５６】
上述したように、溶接電源装置１は送信周期ごとに溶接条件パラメータ信号を遠隔操作装置３に送信しており、記憶部３２は溶接条件パラメータＷｐとして記憶している。まず、記憶部３２に記憶されている溶接条件パラメータＷｐが取得される（Ｓ１）。また、記憶部３２は、遠隔操作装置３で設定された溶接条件Ｗｒも記憶している。記憶部３２に記憶されている溶接条件Ｗｒが取得される（Ｓ２）。
【００５７】
次に、溶接条件パラメータＷｐが溶接条件Ｗｒに一致するか否かが判別される（Ｓ３）。溶接条件パラメータＷｐの各要素（設定電圧や設定電流など）が溶接条件Ｗｒの対応する各要素にすべて一致する場合に、溶接条件パラメータＷｐが溶接条件Ｗｒに一致すると判別される。溶接条件パラメータＷｐは、遠隔操作装置３で設定された溶接条件Ｗｒに基づいて溶接電源装置１に設定されたものである。遠隔操作装置３と溶接電源装置１との間で正しく通信が行われていれば、溶接条件パラメータＷｐと溶接条件Ｗｒとは一致する。溶接条件パラメータＷｐと溶接条件Ｗｒとが一致する場合（Ｓ３：ＹＥＳ）、正しく通信が行われており、遠隔操作装置３で設定された溶接条件Ｗｒが溶接条件パラメータＷｐとして溶接電源装置１に正しく設定されていると判定され、一致信号（例えば、ローレベル信号）が報知部３４に出力されて（Ｓ４）、判定処理が終了する。
【００５８】
一方、溶接条件パラメータＷｐと溶接条件Ｗｒとが一致しない場合（Ｓ３：ＮＯ）、正しく通信が行われておらず、遠隔操作装置３で設定された溶接条件Ｗｒが溶接電源装置１に正しく設定されていないと判定され、不一致信号（例えば、ハイレベル信号）が報知部３４に出力されて（Ｓ５）、判定処理が終了する。
【００５９】
報知部３４は、一致信号（ローレベル信号）が入力された場合には報知を行わないが、不一致信号（ハイレベル信号）が入力された場合には、例えば、「ピー」という音声によって、報知を行う。これにより、溶接作業者は、通信が正しく行われていないことに気付くことができる。この場合、溶接が不安定になり溶接品質が悪くなる可能性があるので、溶接作業者は溶接作業を開始せずに、通信状態が改善されるのを待つ。また、本実施形態では、判定処理の結果は表示部３３にも出力される。表示部３３は、不一致信号（ハイレベル信号）が入力された場合に通信状態の欄に「×」を表示し、一致信号（例えば、ローレベル信号）が入力された場合に通信状態の欄に「○」を表示する（図３参照）。
【００６０】
なお、判定処理のフローチャートは、図４に示したものに限定されない。例えば、ステップＳ３でＮＯとの判別が所定回数（例えば、１０回）以上連続している場合にのみ、ステップＳ５に進み、ＮＯとの判別が所定回数以上連続しない場合にはステップＳ４に進むようにしてもよい。また、ステップＳ３でＮＯとの判別が所定時間（例えば、１秒）以上連続している場合にのみ、ステップＳ５に進み、ＮＯとの判別が所定時間以上連続しない場合にはステップＳ４に進むようにしてもよい。溶接作業者が溶接条件を設定している途中には、通信による時間遅れによって、ＷｐとＷｒとが一致しない瞬間が発生する場合がある。この瞬間的な不一致の場合にも報知が行われると紛らわしいので、所定回数（または、所定時間）以上連続してＮＯと判別されることで判定を行っている。
【００６１】
通信部３６は、ワイヤ送給装置２との間で無線通信を行うためのものである。通信部３６は、ワイヤ送給装置２から受信した信号を復調して、制御部３５に出力する。ワイヤ送給装置２から受信する信号には、例えば、溶接電源装置１においてセンサで検出された溶接電圧または溶接電流の検出値や、異常発生を示す信号、記憶部１２に記憶されている溶接条件パラメータＷｐに基づいて送信された溶接条件パラメータ信号などがある。また、通信部３６は、制御部３５から入力される信号を変調して、ワイヤ送給装置２に送信する。ワイヤ送給装置２に送信する信号には、例えば、記憶部３２に記憶された溶接条件Ｗｒを送信するための溶接条件設定信号などがある。なお、溶接電源装置１との間で送受信される信号は、上記したものに限定されない。
【００６２】
通信部３６は、アンテナ３６ａを介して通信信号の送受信を行う。通信部３６は、制御部３５より入力される信号に応じてキャリア信号をＢＰＳＫ（Binary Phase Shift Keying）変調し、変調信号にスペクトル拡散を行い、アナログ信号に変換して、電磁波として送信する。なお、変調方法はＢＰＳＫ変調に限られず、ＡＳＫ変調やＦＳＫ変調を行うようにしてもよい。また、スペクトル拡散は直接拡散方式に限られず、周波数ホッピング方式を用いてもよい。なお、本実施形態では、スペクトル拡散を行っているが、これに限定されず、スペクトル拡散を行わないようにしてもよい。通信部３６は、アンテナ３６ａが受信した電磁波をデジタル信号に変換して、逆拡散およびフィルタリングを行い、復調を行って、制御部３５に出力する。なお、遠隔操作装置３からワイヤ送給装置２に送信する信号と、ワイヤ送給装置２から遠隔操作装置３に送信する信号とでは、時間をずらして送受信を行う。なお、異なる周波数帯域を利用するようにしてもよい。
【００６３】
次に、溶接作業者が遠隔操作装置３を操作して、溶接電源装置１の溶接条件パラメータＷｐを設定する場合を例として、溶接システムＡ１の作用について説明する。
【００６４】
溶接作業者は、遠隔操作装置３の操作部３１を操作して溶接条件Ｗｒを設定する。図３に示すように、溶接電流設定用ボタン３１ａには「Ｃｕｒｒｅｎｔ」とラベルが付されており、ボタンの上部を１回押すごとに設定電流の値が１Ａずつ増加し、ボタンの下部を１回押すごとに設定電流の値が１Ａずつ減少する。また、溶接電圧設定用ボタン３１ｂには「Ｖｏｌｔａｇｅ」とラベルが付されており、ボタンの上部を１回押すごとに設定電圧の値が０．１Ｖずつ増加し、ボタンの下部を１回押すごとに設定電圧の値が０.１Ｖずつ減少する。操作部３１の操作によって、記憶部３２に記憶されている溶接条件Ｗｒが変更される。記憶部３２に記憶されている溶接条件Ｗｒは、表示部３３に表示される。図３においては、現在の溶接条件Ｗｒの一部である「設定電流：１５０Ａ」および「設定電圧：１８．５Ｖ」が表示されている。溶接作業者は、表示部３３の表示をみて、所望の値になるように操作部３１を操作する。なお、同図においては他の溶接条件Ｗｒの表示を省略している。
【００６５】
遠隔操作装置３は、記憶部３２に記憶されている溶接条件Ｗｒを、送信周期ごとに溶接条件設定信号として、無線通信によってワイヤ送給装置２に送信する。ワイヤ送給装置２は受信した溶接条件設定信号を増幅して、電力伝送線５１，５２を介した有線通信によって溶接電源装置１に送信する。
【００６６】
溶接電源装置１は、ワイヤ送給装置２から受信した溶接条件設定信号に基づいて、記憶部１２に記憶されている溶接条件パラメータＷｐを変更する。溶接電源装置１は、記憶部１２に記憶されている溶接条件パラメータＷｐに基づいて制御される。
【００６７】
また、溶接電源装置１は、記憶部１２に記憶されている溶接条件パラメータＷｐを、送信周期ごとに溶接条件パラメータ信号として、電力伝送線５１，５２を介した有線通信によってワイヤ送給装置２に送信する。ワイヤ送給装置２は、受信した溶接条件パラメータ信号を無線通信によって遠隔操作装置３に送信する。
【００６８】
遠隔操作装置３は、ワイヤ送給装置２から受信した溶接条件パラメータ信号に基づいて、記憶部３２に記憶されている溶接条件パラメータＷｐを変更する。また、遠隔操作装置３は、所定のタイミング毎に判定処理を行う。すなわち、記憶部３２に記憶されている溶接条件パラメータＷｐと溶接条件Ｗｒとが一致するか否かを判別して、正しく通信されているかを判定する。遠隔操作装置３は、判定結果に応じて、表示部３３に所定の表示を行い、報知部３４に所定の報知をさせる。図３の場合は、正しく通信されていると判定されて、表示部３３に「通信状態：○」の表示がされており、報知部３４による音声での報知はされていない。溶接作業者は、「通信状態：○」の表示により、表示部３３に表示されている溶接条件Ｗｒが溶接電源装置１の溶接条件パラメータＷｐとして正しく設定されていることを確認することができる。もし、「通信状態：×」と表示されていた場合は、表示部３３に表示されている溶接条件Ｗｒとは異なる内容で溶接電源装置１の溶接条件パラメータＷｐが設定されていることを、溶接作業者は認識することができる。
【００６９】
本実施形態によると、遠隔操作装置３とワイヤ送給装置２とが無線通信を行い、ワイヤ送給装置２と溶接電源装置１とが電力伝送線５１，５２を介した有線通信を行う。遠隔操作装置３はワイヤ送給装置２の近くに位置するので、間に隔壁やほかの溶接システムなどが存在する可能性が少なく、無線通信に障害が発生しにくい。また、ワイヤ送給装置２と溶接電源装置１とは離れていても有線通信なので、通信に障害が発生しにくい。したがって、遠隔操作装置３が溶接電源装置１と直接無線通信を行う場合と比べて、通信に障害が発生しにくく、正確に通信を行うことができる。
【００７０】
また、遠隔操作装置３は判定処理を行い、溶接電源装置１との間で正しく通信できなかった場合に、その旨を溶接作業者に知らせる。したがって、通信に障害が発生した場合に、そのまま溶接作業を開始して、溶接が不安定になって溶接品質が悪くなってしまうことを抑制することができる。
【００７１】
なお、本実施形態においては、溶接条件が設定電圧および設定電流を含んでいる場合について説明したが、これに限られない。溶接条件は、設定電圧および設定電流のいずれか一方を含んでいなくてもよい。また、溶接条件が、設定電圧および設定電流のいずれも含まないようにしてもよい。例えば、溶接条件を、設定電圧、設定電流、その他の条件を組み合わせたパターンとして溶接電源装置１の記憶部１２に記憶しておき、遠隔操作装置３とはパターンのナンバーだけを溶接条件として送受信するようにしてもよい。
【００７２】
本実施形態においては、コイルによる磁気結合を利用して、通信部１４および中継部２３が通信信号を電力伝送線５１，５２に重畳し、電力伝送線５１，５２に重畳された通信信号を検出する場合について説明したが、これに限られない。例えば、コンデンサによる電界結合を利用するようにしてもよい。また、電力伝送線５１，５２に並列に通信信号を入力するのではなく、電力伝送線５１または５２に直列に通信信号を入力するようにしてもよい。
【００７３】
本実施形態においては、送給装置用電源部１１が電源部２１に直流電力を供給する場合、について説明したが、交流電力を供給するようにしてもよい。この場合、送給装置用電源部１１は、整流回路１１１およびＤＣ／ＤＣコンバータ回路１１２に代えてトランスを備えるようにし、電力系統から入力される交流電力をトランスで降圧して出力するようにすればよい。一方、電源部２１には、交流電力を直流電力に変換するための整流回路を設ける必要がある。また、溶接電源装置１に送給装置用電源部１１を設けずに、電力系統からの交流電力を直接、電力伝送線５１，５２を介して電源部２１に供給するようにしてもよい。
【００７４】
本実施形態においては、溶接用電源部１０および送給装置用電源部１１が、電力系統から入力される交流電力を、それぞれ直流電力に変換して出力する場合について説明したが、これに限られない。溶接用電源部１０と送給装置用電源部１１とで、構成の一部を共有するようにしてもよい。例えば、図２（ｂ）に示すように、送給装置用電源部１１に整流回路１１１を設けずに、溶接用電源部１０の整流回路１０１の出力をＤＣ／ＤＣコンバータ回路１１２に入力するようにしてもよい。また、溶接用電源部１０のトランス１０３の二次側に巻線を追加して電力を取り出し、整流して出力するようにしてもよいし、送給装置用電源部１１を設けずに、溶接用電源部１０の出力の一部を、電力伝送線５１，５２を介してワイヤ送給装置２に供給するようにしてもよい。
【００７５】
本実施形態においては、溶接電源装置１がアークに直流電力を供給する直流電源である場合について説明したが、これに限られない。例えばアルミなどの溶接を行うために、溶接電源装置１を、交流電力を供給する交流電源としてもよい。この場合、溶接用電源部１０にさらにインバータ回路を追加し、整流回路１０４から出力される直流電力を交流電力に変換して出力するようにすればよい。
【００７６】
本実施形態においては、溶接システムＡ１が消耗電極式の溶接システムである場合について説明した。非消耗電極式の溶接システムの場合、ワイヤ電極を送給するためのワイヤ送給装置は必要ないが、溶加ワイヤを自動送給するためのワイヤ送給装置を用いる場合がある。この場合は、溶接システムＡ１と同様の構成になり、本発明を適用することができる。
【００７７】
上記第１実施形態においては、溶接電源装置１と遠隔操作装置３とが、ワイヤ送給装置２が中継する通信のみを行う場合について説明したが、これに限られない。例えば、溶接電源装置１と遠隔操作装置３とが直接通信も行うようにしてもよい。直接通信も行う場合を第２実施形態として、以下に説明する。
【００７８】
図５は、第２実施形態に係る溶接システムＡ２の全体構成を説明するための図である。同図において、第１実施形態に係る溶接システムＡ１(図１参照）と同一または類似の要素には、同一の符号を付している。
【００７９】
図５に示す溶接システムＡ２は、溶接電源装置１’が無線通信部１５を備えており、無線通信部１５が遠隔操作装置３の通信部３６と直接無線通信を行う点で、第１実施形態に係る溶接システムＡ１と異なる。
【００８０】
無線通信部１５は、遠隔操作装置３との間で無線通信を行うためのものであり、アンテナを介して信号の送受信を行う。無線通信部１５の通信方式は、無線通信であることを除いて、通信部１４の通信方式と共通する。溶接電源装置１’は、遠隔操作装置３との通信において、２つの通信経路を有している。無線通信部１５は、通信部１４が中継部２３を経由して遠隔操作装置３に送信する信号と同じ信号を、無線通信により遠隔操作装置３に直接送信する。また、遠隔操作装置３が送信する信号は、中継部２３を経由して通信部１４によって受信され、無線通信部１５によっても受信される。通信部１４が受信した信号と、無線通信部１５が受信した信号とが一致する場合、いずれの通信経路でも通信障害が発生していないと考えることができる。
【００８１】
制御部１３’は、通信部１４が受信した信号と無線通信部１５が受信した信号の比較を行い、両者が一致する場合にのみ、当該信号を受け付けて処理を行う。一致しない場合は、当該信号の再送信を要求する。
【００８２】
図６は、溶接電源装置１’の制御部１３’が行う比較処理を説明するためのフローチャートである。当該比較処理は、溶接電源装置１’が起動されたときに開始される。
【００８３】
まず、通信部１４および無線通信部１５が信号を受信したか否かが判別される（Ｓ１１）。信号が受信されるまでステップＳ１１の判別は繰り返され、信号が受信された場合（Ｓ１１：ＹＥＳ）に、通信部１４が受信した信号Ｓ1が取得され（Ｓ１２）、無線通信部１５が受信した信号Ｓ2が取得される（Ｓ１３）。
【００８４】
次に、信号Ｓ1と信号Ｓ2とが一致するか否かが判別される（Ｓ１４）。一致する場合（Ｓ１４：ＹＥＳ）、２つの通信経路のいずれにも通信障害が発生しておらず、受信された信号Ｓ1および信号Ｓ2は正しく通信されたものであると考えられるので、信号Ｓ1（または信号Ｓ2）に応じた処理が行われて（Ｓ１５）、ステップＳ１１に戻る。例えば、信号Ｓ1，Ｓ2が溶接条件設定信号であった場合、記憶部１２の溶接条件パラメータＷｐが変更される。一方、一致しない場合（Ｓ１４：ＮＯ）、２つの通信経路のいずれか一方または両方で通信障害が発生していると考えられるので、遠隔操作装置３に対して信号の再送信が要求されて（Ｓ１６）、ステップＳ１１に戻る。
【００８５】
信号が受信された場合（Ｓ１１：ＹＥＳ）に、信号Ｓ1と信号Ｓ2とが一致すれば（Ｓ１４：ＹＥＳ）、処理が行われて（Ｓ１５）、次の信号の受信待ち状態（Ｓ１１）になる。信号Ｓ1と信号Ｓ2とが一致しなければ（Ｓ１４：ＮＯ）、再送信が要求されて（Ｓ１６）、再送信される信号を待つ（Ｓ１１）。
【００８６】
第２実施形態によると、溶接電源装置１’は２つの通信経路で受信された信号が一致する場合にのみ処理を行うので、通信障害が発生して正しく通信できていない状態で受信した信号に基づいて処理をしてしまうことを防止することができる。
【００８７】
なお、図６に示すフローチャートの場合、信号Ｓ1と信号Ｓ2とが一致するまで再送信が要求されるので、処理が行われるまでに時間がかかる場合がある。信号Ｓ1と信号Ｓ2とが一致しない場合でも、いずれか一方の通信経路では通信障害が発生していない場合がある。したがって、信号Ｓ1と信号Ｓ2との比較が所定回数行われても一致しない場合には、通信障害が発生していない可能性が高い通信経路の信号に基づいて処理を行うようにしてもよい。
【００８８】
図７は、溶接電源装置１’の制御部１３’が行う比較処理の別の実施例を説明するためのフローチャートである。図７に示すフローチャートは、図６に示すフローチャートに対して、ステップＳ２１〜Ｓ２４が追加され、ステップＳ１５がＳ１５’に変更されている。具体的には、比較回数Ｎをカウントして（ステップＳ２３）、所定回数Ｎ0を超えたか否かを判別し（Ｓ２２）、超えた場合（Ｓ２２：ＹＥＳ）には、信号Ｓ1に応じた処理が行われる（Ｓ１５’）。ステップＳ２１およびＳ２４は、比較回数Ｎを「１」に初期化するステップである。
【００８９】
受信された信号Ｓ1と信号Ｓ2とが一致しなければ（Ｓ１４：ＮＯ）、ステップＳ２２，Ｓ１６，Ｓ２３，Ｓ１１〜Ｓ１４が繰り返され、比較回数Ｎがカウントされる。比較回数Ｎが所定回数Ｎ0を超えた場合（Ｓ２２：ＹＥＳ）、信号Ｓ1に応じた処理が行われ（Ｓ１５’）、比較回数Ｎが「１」に初期化されて（Ｓ２４）、次の信号の受信待ち状態（Ｓ１１）になる。
【００９０】
無線通信部１５が遠隔操作装置３との間で無線通信を行うのに対して、通信部１４はワイヤ送給装置２との間で有線通信を行い、ワイヤ送給装置２と遠隔操作装置３とは近い位置で無線通信を行っている。したがって、通信部１４が受信した信号Ｓ1の方が無線通信部１５が受信した信号Ｓ2より信頼性が高い。よって、ステップＳ１５’では、信号Ｓ1に応じて処理を行うようにしている。
【００９１】
この実施例の場合、信号Ｓ1と信号Ｓ2とが一致するまで再送信要求をする場合より信頼性は低くなるが、処理が行われるまでの時間を短縮することができる。なお、比較回数Ｎが所定回数Ｎ0を超えた場合（Ｓ２２：ＹＥＳ）に、遠隔操作装置３に注意を促すための信号を送信するようにしてもよい。当該信号を受信した遠隔操作装置３が注意を報知するようにすれば、溶接作業者に通信障害の可能性があることの注意を促すことができる。
【００９２】
さらに別の実施例として、信号Ｓ1と信号Ｓ2とが一致しない場合に、再送信要求をせずに、信号Ｓ1に応じた処理を行うようにしてもよい。この場合のフローチャートは、図６に示すフローチャートにおいて、ステップＳ１６をステップＳ１５’に置き換えたものになる。この実施例の場合、さらに信頼性は低くなるが、処理が行われるまでの時間をさらに短縮することができる。
【００９３】
また、遠隔操作装置３の制御部３５にも同様の機能を持たせるようにしてもよい。すなわち、制御部３５が、通信部３６が無線通信部１５から直接受信した信号と、中継部２３で中継されてから通信部３６が受信した信号との比較を行い、両者が一致する場合に当該信号を受け付けて処理を行い、一致しない場合には当該信号の再送信を要求するようにしてもよい。
【００９４】
上記第１および第２実施形態においては、溶接電源装置１（１’）と遠隔操作装置３との通信の中継をワイヤ送給装置２が行う場合について説明したが、これに限られない。例えば、中継部を備える中継装置を別途設けるようにしてもよい。電力伝送線５１，５２の途中に中継装置を設けた場合を第３実施形態として、以下に説明する。
【００９５】
図８は、第３実施形態に係る溶接システムＡ３の全体構成を説明するための図である。同図において、第１実施形態に係る溶接システムＡ１(図１参照）と同一または類似の要素には、同一の符号を付している。
【００９６】
図８に示す溶接システムＡ３は、ワイヤ送給装置２’が溶接電源装置１と遠隔操作装置３との通信の中継機能を有しておらず、中継機能を有する中継装置７が電力伝送線５１，５２の途中に設けられている点で、第１実施形態に係る溶接システムＡ１と異なる。
【００９７】
ワイヤ送給装置２’は、中継部２３の代わりに、溶接電源装置１との通信のみを行う通信部２３’を備えている。溶接電源装置１と遠隔操作装置３との通信の中継は、中継装置７の中継部７１が行う。
【００９８】
中継部７１は、第１実施形態に係るワイヤ送給装置２の中継部２３が行う中継機能を備えている。すなわち、中継部７１は、第１実施形態に係る中継部２３と同様に、結合回路を備えており、通信信号を電力伝送線５１，５２に重畳し、電力伝送線５１，５２に重畳された通信信号を検出することで、電力伝送線５１，５２を介して、溶接電源装置１との間で有線通信を行う。また、中継部７１は、アンテナ７１ａによって通信信号を電磁波として送受信することで、遠隔操作装置３との間で無線通信を行う。中継部７１は、受信した信号を増幅して送信する。なお、受信した信号を増幅することなく、そのまま送信するようにしてもよいし、受信した信号を一旦復調して、所定の処理を行った上で再度変調して送信するようにしてもよい。
【００９９】
中継装置７は、溶接電源装置１との間で電力伝送線５１，５２を介した有線通信を行い、遠隔操作装置３との間で無線通信を行う。また、中継装置７は中継機能を有する。中継装置７は、電力伝送線５１，５２の任意の位置に設けることができるが、遠隔操作装置３との間で無線通信を行いやすいように、できるだけ遠隔操作装置３に近い位置に設ける方がよい。なお、中継装置７は、電力伝送線５１，５２上で移動可能に配置されるようにしてもよい。第３実施形態においても、第１実施形態と同様の効果を奏することができる。
【０１００】
上記第１ないし第３実施形態においては、専用の遠隔操作装置３を用いる場合について説明したが、これに限られない。例えば、遠隔操作装置３に代えて、タブレット端末やスマートフォンなどの携帯型端末を用いるようにしてもよい。携帯型端末に、遠隔操作装置３が有する機能を備えさせるためのアプリケーションをインストールする。携帯型端末はもともと、遠隔操作装置３の操作部３１、記憶部３２、表示部３３、報知部３４、通信部３６に相当する機能を有している。アプリケーションをインストールして、携帯型端末の制御部を遠隔操作装置３の制御部３５として機能させることで、携帯型端末を遠隔操作装置３の代わりに用いることができる。この場合、遠隔操作装置３を別途用意する必要がない。
【０１０１】
一般的に、携帯型端末には複数の通信方法（例えば、WiFi（登録商標）、Bluetooth（登録商標）、LTE（Long Term Evolution）、3G、赤外線通信など）が備えられている。ワイヤ送給装置２の中継部２３（中継装置７の中継部７１）にも複数の通信方法を持たせて、最も通信状態のいい通信方法に切り替えて、通信を行うようにしてもよい。この場合、通信方法の種類を気にすることなく、最適な方法で通信を行うことができる。
【０１０２】
また、図１などにおいては記載していないが、溶接システムＡ１には、シールドガスをガスボンベから溶接トーチ６に供給するためのガス配管が備えられている。電力伝送線５１，５２を、このガス配管の内側に配置するようにしてもよいし、このガス配管と束ねるようにしてもよい。電力伝送線５１，５２をガス配管の内側に配置した場合を、第４実施形態として、以下に説明する。
【０１０３】
図９は、第４実施形態に係る溶接システムＡ４を説明するための図である。図９（ａ）は、第４実施形態に係る溶接システムの全体構成を示している。同図において、第１実施形態に係る溶接システムＡ１(図１参照）と同一または類似の要素には、同一の符号を付している。なお、図９（ａ）においては、溶接電源装置１およびワイヤ送給装置２の内部構成の一部の記載を省略している。また、遠隔操作装置３の記載も省略している。図９（ｂ）は、ガス配管９の断面図を示している。
【０１０４】
図９に示す溶接システムＡ４は、電力伝送線５１，５２がガス配管９の内側に配置されている点で、第１実施形態に係る溶接システムＡ１と異なる。
【０１０５】
ガス配管９は、溶接電源装置１およびワイヤ送給装置２を介して、ガスボンベ８と溶接トーチ６とを接続するものであり、ガスボンベ８のシールドガスを溶接トーチ６の先端に供給する。電力伝送線５１，５２は、溶接電源装置１とワイヤ送給装置２との間で、ガス配管９の内側に配置されている。電力伝送線５１，５２は、ガス配管９に設けられた貫通孔からガス配管９の内側に引き込まれる。ガス漏れや水分の浸入を防ぐために、電力伝送線５１，５２を通した後の貫通孔を、密閉する必要がある。
【０１０６】
第４実施形態によると、電力伝送線５１，５２が、溶接電源装置１とワイヤ送給装置２とを接続しているガス配管９の内側に配置されているので、電力伝送線５１，５２がガス配管９とは別に配置される場合と比べて、ワイヤ送給装置２を移動させる際の邪魔にならない。また、電力伝送線５１，５２は、ガス配管９に囲まれているので、外部からの衝撃を受けにくく、電力伝送線５１，５２が断線することを抑制することができる。
【０１０７】
なお、図１０に示す溶接システムＡ４’のように、電力伝送線５２をパワーケーブル４１に接続して、パワーケーブル４１に電力伝送線５２を兼用させるようにしてもよい。この場合、ガス配管９の内側に配置されるのは電力伝送線５１のみでよくなる。ガス配管９の内側に配置される電力伝送線が１本だけであれば、図１０(ｂ)に示すように、溶接電源装置１に設けられたガス配管用の接続金具１ａ（ワイヤ送給装置２に設けられたガス配管用の接続金具２ａ）をコネクタとして利用することで、電力伝送線５１の配置を容易にすることができる。
【０１０８】
本発明に係る溶接システム、溶接システムの通信方法、および、中継装置は、上述した実施形態に限定されるものではない。本発明に係る溶接システム、溶接システムの通信方法、および、中継装置の各部の具体的な構成は、種々に設計変更自在である。
【符号の説明】
【０１０９】
Ａ１，Ａ２，Ａ３，Ａ４  溶接システム
１，１’  溶接電源装置
１０  溶接用電源部
１１  送給装置用電源部
１２  記憶部（第１記憶手段）
１３  制御部（第１記憶制御手段、出力制御手段）
１３’  制御部（比較手段、処理手段、再送信要求手段、カウント手段、第１記憶制御手段、出力制御手段）
１４  通信部（第１通信手段）
１５  無線通信部
１ａ  ガス配管用の接続金具
２，２’  ワイヤ送給装置
２１  電源部
２２  制御部
２３  中継部（中継装置）
２３ａ  アンテナ
２３’  通信部
２４  送給モータ
２ａ  ガス配管用の接続金具
３  遠隔操作装置
３１  操作部
３１ａ  溶接電流設定用ボタン
３１ｂ  溶接電圧設定用ボタン
３１ｃ  起動ボタン
３２  記憶部（第２記憶手段、第３記憶手段）
３３  表示部（表示手段、報知手段）
３４  報知部（報知手段）
３５  制御部（第２記憶制御手段、判定手段）
３６  通信部（第２通信手段）
３６ａ  アンテナ
４１，４２  パワーケーブル
５１，５２  電力伝送線
６  溶接トーチ
７  中継装置
７１  中継部
７１ａ  アンテナ
８  ガスボンベ
９  ガス配管
Ｗ  被加工物
【図１】
0006424026.tif 000002
【図２】
0006424026.tif 000003
【図３】
0006424026.tif 000004
【図４】
0006424026.tif 000005
【図５】
0006424026.tif 000006
【図６】
0006424026.tif 000007
【図７】
0006424026.tif 000008
【図８】
0006424026.tif 000009
【図９】
0006424026.tif 000010
【図１０】
0006424026.tif 000011
【図１１】
0006424026.tif 000012